(57)【要約】【課題】映像が表示されるまでに拡大縮小処理が複数回行われることによる映像の劣化を防ぐための構成を備えた映像信号処理装置を提供すること。【解決手段】入力された映像信号のフォーマットに対して予め設定された映像フォーマットとなるように拡大又は縮小処理をスケーラー部において行うフォーマット変換機能を具備してなる映像信号処理装置であって、任意の映像フォーマットを選択して、前記スケーラー部において入力映像信号に対して適切に拡大又は縮小処理を行って変換された映像フォーマットで出力するフォーマット変換モードと、入力された映像信号に対してフォーマット変換を行わずにそのまま出力するスルーモードとを備え、これら２つのモードを切替えて使用可能とした。【選択図】図１
2008054083.tif 000002
【特許請求の範囲】
【請求項１】
入力された映像信号のフォーマットに対して予め設定された映像フォーマットとなるように拡大又は縮小処理をスケーラー部において行うフォーマット変換機能を具備してなる映像信号処理装置であって、任意の映像フォーマットを選択して、前記スケーラー部において入力映像信号に対して適切に拡大又は縮小処理を行って変換された映像フォーマットで出力するフォーマット変換モードと、入力された映像信号に対してフォーマット変換を行わずにそのまま出力するスルーモードとを備えたことを特徴とする映像信号処理装置。
【請求項２】
入力された映像信号のフォーマットに対して予め設定された映像フォーマットとなるように拡大又は縮小処理をスケーラー部において行うフォーマット変換機能を具備してなる映像信号処理装置であって、任意の映像フォーマットを選択して、前記スケーラー部において入力映像信号に対して適切に拡大又は縮小処理を行って変換された映像フォーマットで出力するフォーマット変換モードと、入力された映像信号に対してフォーマット変換を行わずにそのまま出力するスルーモードとを備え、前記入力映像信号と前記スケーラー部の出力とが入力され、モード切替指示信号によって何れか一方を出力する切替回路を具備したことを特徴とする映像信号処理装置。
【発明の詳細な説明】
【技術分野】
【０００１】
本発明は、複数のフォーマットの映像信号に対応可能な映像信号処理装置に関するものであり、フォーマット変換によって生じる画質の劣化を最小限に抑えるための技術に関するものである。
【背景技術】
【０００２】
現状のテレビ放送においては、従来のアナログ放送に加えて、ＢＳやＣＳのデジタル放送、地上波デジタル放送など様々なフォーマットの映像信号が用いられている。これらの映像信号はそれぞれ走査線数や水平周波数などが異なったものであり、例えば、有効走査線数４８０本のインターレース信号（以下、４８０ｉ）、有効走査線数１０８０本のインターレース信号（以下、１０８０ｉ）、有効走査線数４８０本のプログレッシブ信号（以下、４８０ｐ）、有効走査線数７２０本のプログレッシブ信号（以下、７２０ｐ）、有効走査線数１０８０本のプログレッシブ信号（以下、１０８０ｐ）などが存在する。
【０００３】
一方、これらの映像信号を表示するためのテレビ受像機やパソコンのディスプレイにおいては表示可能な映像サイズが定められており、場合によっては表示サイズを変更する必要が生じる。例えば、映像領域が６４０×４８０であるＶＧＡという映像信号が、表示可能な映像サイズが１０２４×７６８であるディスプレイに対して入力された場合には、画面全体に表示するために、拡大処理を行って出力する必要がある。
【０００４】
このようなフォーマット変換に関する先行技術としては、既に様々なものが提案されている。例えば、特許文献１に記載の映像表示装置は、複数のフォーマットの入力映像信号を、実用上最も優れた単一のフォーマットに変換して表示することができる映像信号処理装置及び映像表示装置を提供することを目的とし、また、ハードウェア規模や信号処理の煩雑さの増大を最小限に抑えつつ、極めて高画質の映像を表示することができる映像信号処理装置及び映像表示装置を提供することを目的としたものであり、フォーマットを１４４０ｉ又は１４４０ｐに統一することによって、フォーマット変換の処理回路を構成する補間フィルタのハードウェア規模を最小限に抑え、画質の劣化の少ない映像信号処理を実現したものである。
【０００５】
特許文献２に記載のデジタル放送受信装置は、字幕付き映像、上下に帯部がある映像、前述したサイドパネルがついた映像、データ放送映像等において、視聴者が手動操作で画面設定を切り替える場合は、チャンネルや番組内容が変わる毎に操作を行って自分の好みの映像になるように再設定しなければならず不便であるという事情に鑑み、放送の映像フォーマットに基づいて好適に映像加工を行って画面表示することができるデジタル放送受信装置を提供することを目的としたものである。映像加工の判定材料として映像フォーマットの判別を行っている。
【０００６】
特許文献３に記載の映像表示装置は、複数の異なる映像フォーマットを接続した受像機で最適な映像フォーマットで視聴できる映像表示装置を提供することを目的としたものであり、複数の異なる映像フォーマットを順次出力可能とする表示制御手段と、前記複数の異なる映像フォーマット信号を受像機に表示可能かどうかを判断するための音声の問い合わせに対する入力手段とを備えることで、ユーザは音声の問い合わせに対して設定をしていくだけで接続した受像機に応じて最適な映像フォーマットで表示することが可能となるという効果を有するものである。
【０００７】
特許文献４は、接続したテレビジョン受像機に合わせて自動的に映像信号のフォーマットを切り換えることができるデジタル放送受信機を提供することを目的とし、また、デジタル放送受信機に対し、表示可能なフォーマットに合わせて自動的に映像信号のフォーマットを切り換えさせることができるテレビジョン受像機を提供することを目的としたものであり、テレビジョン受像機に自身がどこまでのフォーマットに対応しているかの情報（表示可能フォーマット情報）を発生する機能を持たせ、この表示可能フォーマット情報をＤ端子ケーブルを介してデジタル放送受信機に入力することで、デジタル放送受信機側において、接続している受像機がどのフォーマットまで対応して表示可能なのか判別することができ、最適なフォーマット（例えば、受像機にて表示可能なフォーマットの内の最も高解像度のフォーマット）にフォーマット変換して映像信号を出力することができるという特徴を有するものである。
【特許文献１】特開２００２−２１８３４８号公報
【特許文献２】特開２００３−３３３４５５号公報
【特許文献３】特開２００５−１１７３０６号公報
【特許文献４】特開２００１−１８９８９７号公報
【発明の開示】
【発明が解決しようとする課題】
【０００８】
ところで、上記のようなフォーマット変換機能を有する映像信号処理装置としては、例えば、当該機能を有しディスプレイから独立したデジタル放送のチューナ等（以下、このようにディスプレイから独立してフォーマット変換機能を有するものをセパレート型ユニットという。）や、当該機能を有する表示パネル（以下、このようなフォーマット変換機能を有するディスプレイを一体型パネルという。）などが存在する。通常、セパレート型ユニットはフォーマット変換機能の無い表示パネルとセットで販売されることが多く、このような場合には、セパレート型ユニットでは表示パネルに合わせた固定フォーマットで出力するように設定されている。
【０００９】
このようなセパレート型ユニットに対して、フォーマット変換機能を有する一体型パネルを接続して使用する場合（例えば、別途ディスプレイを新たに購入した場合等）も十分に想定される。図３に示すのは、従来のセパレート型ユニット１１に一体型パネル１２を接続した場合の構成を示したブロック図である。ここで、セパレート型ユニット１１にはＶＧＡ（６４０×４８０）サイズの映像信号が入力されるものとし、セパレート型ユニット１１では１０８０ｐの固定フォーマットで出力するものとし、一体型パネル１２の最適表示サイズがＸＧＡ（１０２４×７６８）であるものとする。
【００１０】
この図３において、セパレート型ユニット１１にＶＧＡ（６４０×４８０）サイズの映像信号が入力されると、入力された信号は一旦メモリ部１４に蓄積され、その後スケーラー部１３において固定フォーマットである１０８０ｐへの変換処理が行われる。この場合、水平方向は３倍、垂直方向は９／４倍の拡大処理が行われる。そして、１０８０ｐのフォーマットに変換後の信号が一体型パネル１２に入力される。一体型パネル１２では、入力された１０８０ｐの信号をスケーラー部１５において縮小処理した後にメモリ部１６へ蓄積する。この場合、水平方向は８／１５倍、垂直方向は３２／４５倍の縮小処理が行われる。その後、メモリ部１６に蓄積後の映像データが表示装置部１７に出力されて映像が表示される。
【００１１】
以上のように、セパレート型ユニット１１と一体型パネル１２を接続して使用する場合、それぞれにおいてフォーマット変換処理が行われることによって、表示映像の劣化が生じてしまう恐れがある。これを防止するためには、セパレート型ユニット１１のスケーラー部１３において、一体型パネル１２の表示装置部１７の適正表示サイズ（一体型パネル１２において選択されているフォーマット）に合わせて拡大・縮小を行ってから一体型パネル１２に出力するという方法がある。この方法によれば、一体型パネル１２側では拡大縮小処理が行われることは無く、映像の劣化を防ぐことができる。
【００１２】
しかし、以上のような方法はユーザが一体型パネル１２側のフォーマットを把握した上でセパレート型ユニット１１側のフォーマット変換操作を行う必要があるため、非常に操作が煩雑であるという問題がある。
このような操作の煩雑さを解消したものとして特許文献４があるが、この特許文献４のように自動で表示可能フォーマット情報を取得するためには、別途Ｄ端子ケーブル等の通信ケーブルを設けなければならない。よって、使用可能なパネルが限定されてしまうという問題があった。
【００１３】
本発明は、上記問題点に鑑みなされたものであり、フォーマット変換機能を有するセパレート型ユニットに対してフォーマット変換機能を有する一体型パネルを接続して使用する場合において、これらのそれぞれで拡大縮小処理が行われることによる映像の劣化を防ぐための構成を備えた映像信号処理装置を提供することを目的とするものである。
【課題を解決するための手段】
【００１４】
本発明の請求項１は、入力された映像信号のフォーマットに対して予め設定された映像フォーマットとなるように拡大又は縮小処理をスケーラー部において行うフォーマット変換機能を具備してなる映像信号処理装置であって、任意の映像フォーマットを選択して、前記スケーラー部において入力映像信号に対して適切に拡大又は縮小処理を行って変換された映像フォーマットで出力するフォーマット変換モードと、入力された映像信号に対してフォーマット変換を行わずにそのまま出力するスルーモードとを備えたことを特徴とする映像信号処理装置である。
【００１５】
本発明の請求項２は、入力された映像信号のフォーマットに対して予め設定された映像フォーマットとなるように拡大又は縮小処理をスケーラー部において行うフォーマット変換機能を具備してなる映像信号処理装置であって、任意の映像フォーマットを選択して、前記スケーラー部において入力映像信号に対して適切に拡大又は縮小処理を行って変換された映像フォーマットで出力するフォーマット変換モードと、入力された映像信号に対してフォーマット変換を行わずにそのまま出力するスルーモードとを備え、前記入力映像信号と前記スケーラー部の出力とが入力され、モード切替指示信号によって何れか一方を出力する切替回路を具備したことを特徴とする映像信号処理装置である。
【発明の効果】
【００１６】
本発明の映像信号処理装置によれば、接続された機器がフォーマット変換機能を有しているか否かによって、フォーマット変換モードとスルーモードとを切替えて使用することができ、これによって、何れか一方で１回のみフォーマット変換処理が行われるように設定することができるため、フォーマット変換処理が２回行われることによる映像信号の劣化を防止することができる。
【発明を実施するための最良の形態】
【００１７】
本発明による映像信号処理装置は、入力された映像信号のフォーマットに対して予め設定された映像フォーマットとなるように拡大又は縮小処理をスケーラー部において行うフォーマット変換機能を具備してなる映像信号処理装置であって、任意の映像フォーマットを選択して、前記スケーラー部において入力映像信号に対して適切に拡大又は縮小処理を行って変換された映像フォーマットで出力するフォーマット変換モードと、入力された映像信号に対してフォーマット変換を行わずにそのまま出力するスルーモードとを備えたことを特徴とするものである。
【実施例１】
【００１８】
本発明による映像信号処理装置は、デジタル放送のチューナ等のセパレート型ユニットやディスプレイと一体となった一体型パネルに適用されるものであり、少なくともフォーマット変換機能を有するものに適用されるものである。そして、ユーザが最適なフォーマットを選択してフォーマット変換を行うためのフォーマット変換モードと、入力された映像信号に対してフォーマット変換を行わずにそのまま出力するスルーモードとを有することを特徴とするものである。以下、セパレート型ユニットに適用された場合を例として図面を用いて説明を行う。
【００１９】
図１に示すのは、本発明の映像信号処理装置としてのセパレート型ユニット１８の構成を表したブロック図であり、従来の構成を示した図３と同一機能の部分には同一符号を付してある。映像信号入力端子１０からの入力映像信号は、スケーラー部２１に入力されるとともに、切替回路２２に入力される。映像フォーマット指示信号入力端子１９から入力された映像フォーマット指示信号は、スケーラー部２１の拡大縮小処理部２５に入力される。ここでの映像フォーマット指示信号は、前記フォーマット変換モードにおいてユーザがフォーマット選択を行った際に入力される信号である。また、モード切替信号入力端子２０から入力されたモード切替信号は、切替回路２２に入力される。このモード切替信号は、前記フォーマット変換モードとスルーモードとを切替えた際に入力される信号である。
【００２０】
前記スケーラー部２１は、信号判別部２４と拡大縮小処理部２５とで構成されており、このスケーラー部２１で入力映像信号に対してフォーマット変換処理を行った後に、処理後の信号が切替回路２２に出力される。
信号判別部２４は、入力映像信号のフォーマットの判別を行うためのものであり、水平同期信号、垂直同期信号、各同期信号の極性等から信号の判別を行う。ここでの判別結果は、後段の拡大縮小処理部２５に入力される。
【００２１】
拡大縮小処理部２５は、入力映像信号のフォーマットをユーザが選択した映像フォーマットとなるように拡大縮小処理を行うためのものである。先ず、前記信号判別部２４での判別結果と映像フォーマット指示信号で選択された映像フォーマットとを比較して拡大縮小率を水平方向と垂直方向でそれぞれ算出する。一方、入力された映像信号は一旦メモリ部１４に蓄積し、その後、算出した拡大縮小率に基づいてメモリ部１４から信号を読み出しながら拡大又は縮小処理が行われる。また、フォーマット変換に伴って水平同期信号、垂直同期信号、各同期信号の極性等の変換も行われる。このようにして拡大縮小処理を行った後の信号は、切替回路２２に入力される。
【００２２】
切替回路２２は、モード切替信号入力端子２０から入力されたモード切替信号によって、前記映像信号入力端子１０からの入力映像信号と前記拡大縮小処理部２５からのフォーマット変換後の映像信号との何れかを選択して、映像信号出力端子２３に出力する。モード切替信号は、フォーマット変換モードとスルーモードとを切替えた際に入力される信号であり、スルーモードの場合には映像信号入力端子１０からの入力映像信号側に切替えられ、フォーマット変換モードの場合には拡大縮小処理部２５からのフォーマット変換後の映像信号側に切替えられる。
【００２３】
以上のような構成における本発明の作用を説明する。
ユーザは、本発明のセパレート型ユニット１８に接続されるディスプレイ装置が、フォーマット変換機能を有しているか否かによって、モードを切替えて使用する必要がある。ここで、従来技術の説明と同様に、セパレート型ユニット１８にはＶＧＡ（６４０×４８０）サイズの映像信号が入力されるものとし、使用前のセパレート型ユニット１８は１０８０ｐのフォーマットが選択されているものとし、接続されるディスプレイ装置の最適表示サイズがＸＧＡ（１０２４×７６８）である場合について説明を行う。
【００２４】
フォーマット変換機能の無いディスプレイ装置に接続された場合には、セパレート型ユニット１８においてフォーマット変換を行う必要があるので、このような場合には、フォーマット変換モードに設定する。そして、フォーマットの選択では、ユーザはディスプレイ装置の最適表示サイズであるＸＧＡ（１０２４×７６８）を選択する。この場合の切替回路２２はスケーラー部２１の出力側に接続されている。
このような設定状態で、ＶＧＡ（６４０×４８０）サイズの映像信号がスケーラー部２１に入力されると、映像信号は一旦メモリ部１４に蓄積されるともに、信号判別部２４において、入力された映像信号がＶＧＡ（６４０×４８０）サイズであることを検出し、検出結果を拡大縮小処理部２５に出力する。一方、フォーマットの選択が行われた時点で映像フォーマット指示信号が拡大縮小処理部２５に入力されて映像フォーマットがＸＧＡ（１０２４×７６８）に設定されており、拡大縮小処理部２５では、これらの信号を比較して、水平方向に８／５倍、垂直方向に８／５倍と拡大率を算出し、これに基づいてメモリ部１４から適宜映像信号を読み出して拡大処理を行ってフォーマット変換を行う。ＸＧＡ（１０２４×７６８）サイズに変換後の映像信号は、切替回路２２を介して出力端子２３から出力されて、接続されたディスプレイ装置に入力される。
このような処理を行うことで、ディスプレイ装置側には、最適表示サイズであるＸＧＡ（１０２４×７６８）サイズの映像信号が入力されて、適切に表示されることとなる。
【００２５】
一方、フォーマット変換機能を有する一体型パネルが接続された場合には、一体型パネルにおいてフォーマット変換処理を行うため、セパレート型ユニット１８においてフォーマット変換を行う必要が無く、このような場合には、スルーモードに設定する。スルーモードが選択された場合には、切替回路２２は映像信号入力端子１０からのラインに直接接続されることになる。
よって、このような設定状態でＶＧＡ（６４０×４８０）サイズの映像信号が映像信号入力端子１０に入力されると、この映像信号は一切の処理が行われること無く、切替回路２２を介して出力端子２３から出力されて、接続された一体型パネルに入力される。
このような処理を行うことで、一体型パネル側において映像フォーマットを最適表示サイズであるＸＧＡ（１０２４×７６８）サイズに設定しておけば、適切にフォーマット変換が行われて、表示装置部に適切に表示されることとなる。
【００２６】
以上のように、本発明による映像信号処理装置としてのセパレート型ユニット１８によれば、接続されるディスプレイ装置がフォーマット変換機能を有しているか否かによって、フォーマット変換モードとスルーモードとを切替えて使用することができ、これによって、何れか一方で１回のみフォーマット変換処理が行われるように設定することができるため、フォーマット変換処理が２回行われることによる映像信号の劣化を防止することができる。
【実施例２】
【００２７】
前記実施例１における本発明による映像信号処理装置としてのセパレート型ユニット１８は、映像フォーマットを指定して映像の拡大縮小処理を行うフォーマット変換モードと、映像信号に処理を行わずにそのまま出力するスルーモードとを有することを特徴とするものであり、フォーマット変換モードとスルーモードとを切替回路２２によって切替えて使用する構成となっている。しかし、本発明はこの構成に限定されるものではなく、例えば、図２に示すような構成であってもよい。
【００２８】
図２に示すのは、本発明の映像信号処理装置としてのセパレート型ユニット１８の構成を表したブロック図であり、実施例１における図１と同一機能の部分には同一符号を付して説明を省略する。この図２において図１と異なるのは、モード切替信号入力端子２０から入力されたモード切替信号が、スケーラー部２６の拡大縮小処理部２７に入力されている点と、スケーラー部２６の拡大縮小処理部２７からの映像信号が直接映像信号出力端子２３に接続されている点である。この図２においても、映像フォーマットを指定して映像の拡大縮小処理を行うフォーマット変換モードと、映像信号に処理を行わずにそのまま出力するスルーモードとを有することは、実施例１と同様である。
【００２９】
このような構成における本発明の作用を説明する。
先ず、フォーマット変換モードに設定されている場合には、拡大縮小処理部２７において、信号判別部２４での判別結果と設定されている映像フォーマットとを比較して映像の拡大縮小率を算出し、これに基づいてフォーマット変換処理を行うものであり、これは実施例１の場合と同様であるため、詳細な説明は省略する。
次に、スルーモードが選択された場合には、モード切替信号入力端子２０からのモード切替信号が拡大縮小処理部２７に入力される。拡大縮小処理部２７では、スルーモードに設定された段階で、それ以前に設定されていた映像フォーマットにかかわらず、入力された映像信号に等倍処理を行って映像信号出力端子２３に出力する。即ち、拡大又は縮小処理を行わずにそのまま出力する。このような処理を行うことで、接続された一体型パネル側において映像フォーマットを最適表示サイズに設定しておけば、適切にフォーマット変換が行われて、表示装置部に適切に表示されることとなる。
【００３０】
このような構成により、接続されるディスプレイ装置がフォーマット変換機能を有しているか否かによって、フォーマット変換モードとスルーモードとを切替えて使用することができ、これによって、何れか一方で１回のみフォーマット変換処理が行われるように設定することができるため、フォーマット変換処理が２回行われることによる映像信号の劣化を防止することができる。
【００３１】
前記実施例１及び２は、フォーマット変換機能を有するセパレート型ユニット１８に対してフォーマット変換モードとスルーモードとを切替えて使用する構成を適用したものであったが、本発明はこれに限定されるものではなく、フォーマット変換機能を有する一体型パネルにおいて同様の構成を適用しても、本発明と同様の効果を得ることができる。
【図面の簡単な説明】
【００３２】
【図１】本発明の映像信号処理装置としてのセパレート型ユニット１８の構成を表したブロック図である。
【図２】本発明の映像信号処理装置としてのセパレート型ユニット１８の他の構成を表したブロック図である。
【図３】従来のセパレート型ユニット１１と一体型パネル１２の接続例を表したブロック図である。
【符号の説明】
【００３３】
１０…映像信号入力端子、１１…セパレート型ユニット、１２…一体型パネル、１３…スケーラー部、１４…メモリ部、１５…スケーラー部、１６…メモリ部、１７…表示装置部、１８…セパレート型ユニット、１９…映像フォーマット指示信号入力端子、２０…モード切替信号入力端子、２１…スケーラー部、２２…切替回路、２３…映像信号出力端子、２４…信号判別部、２５…拡大縮小処理部、２６…スケーラー部、２７…拡大縮小処理部。
【図１】
2008054083.tif 000003
【図２】
2008054083.tif 000004
【図３】
2008054083.tif 000005